(57)【特許請求の範囲】
【請求項１】
本体部内に制御部を有する加熱調理器の前記本体部の前面側の内側に、前記制御部からの指令で赤外線信号を出力する赤外線信号送信部を設け、
前記本体部の前面側の外側に、スカート部を有する意匠パネルを設け、 
前記スカート部は、トッププレートの前縁部よりも突出し、
前記赤外線信号送信部と前記意匠パネルとの間に、赤外線信号が通る筒状体を設け、
前記スカート部に、前記赤外線信号送信部から前記筒状体を介して送信された赤外線信号を前記本体部の上方に設けられる赤外線受光部に送信する赤外線投光部を設けた
ことを特徴とする加熱調理器。
【請求項２】
本体部内に制御部を有する加熱調理器の前記本体部の前面側の内側に、前記制御部からの指令で赤外線信号を出力する赤外線信号送信部を設け、
前記本体部の前面側の外側に、スカート部を有する意匠パネルを設け、
前記スカート部は、トッププレートの前縁部よりも突出し、
前記赤外線信号送信部と前記意匠パネルとの間に、赤外線信号が通る筒状体を設け、
前記スカート部の天面に投光窓を設け、
前記スカート部内の前記筒状体と前記投光窓との間に、前記赤外線信号送信部から前記筒状体を介して送信された赤外線信号を前記本体部の上方に設けられる赤外線受光部に送信する赤外線投光部を設けた
ことを特徴とする加熱調理器。
【請求項３】
前記筒状体を、前記赤外線信号送信部と対向して、前記本体部の前面側又は前記スカート部の背面側に設けたことを特徴とする請求項１又は２に記載の加熱調理器。
【請求項４】
前記赤外線投光部を、樹脂材料からなり赤外線信号が通るほぼＬ字状の導光体で構成したことを特徴とする請求項１〜３のいずれかに記載の加熱調理器。
【請求項５】
前記導光体の外周を不透明の壁体で覆ったことを特徴とする請求項４記載の加熱調理器。
【請求項６】
前記赤外線投光部を、前記スカート部の内壁に設けた赤外線信号を上方に反射させる反射部で構成したことを特徴とする請求項１〜３のいずれかに記載の加熱調理器。
【請求項７】
前記赤外線投光部を、赤外線信号を上方に反射させるほぼＬ字状の反射筒体で構成したことを特徴とする請求項１〜３のいずれかに記載の加熱調理器。
【請求項８】
前記意匠パネルに操作部を設け、該操作部の下方にスカート部を設けたことを特徴とする請求項１〜７のいずれかに記載の加熱調理器。
【請求項９】
前記意匠パネルに操作部を設け、該操作部の上方にスカート部を設けたことを特徴とする請求項１〜７のいずれかに記載の加熱調理器。
【請求項１０】
前記スカート部を前記本体部に設けたロースタの取っ手と連続して設けたことを特徴とする請求項１〜９のいずれかに記載の加熱調理器。
【請求項１１】
前記加熱調理器を流し台へ組み込んだときは、前記赤外線投光部が前記流し台の天板の前縁部より突出するように構成したことを特徴とする請求項１〜１０のいずれかに記載の加熱調理器。
【請求項１２】
前記赤外線受光部を有し前記加熱調理器の上方に設置されて該加熱調理器からの赤外線信号で換気扇が制御される換気装置を備えたことを特徴とする請求項１〜１１のいずれかに記載の加熱調理器。
【発明の詳細な説明】
【技術分野】
【０００１】
本発明は、加熱調理器に係り、より詳しくは、加熱調理器の上方に設置された換気装置を、無線で制御する機能を備えた加熱調理器に関するものである。
【背景技術】
【０００２】
従来の調理器具に、調理の開始と終了を検知する検知手段と、前記検知手段が認識した調理の開始と終了の赤外線信号を送信窓から送信する送信手段とを設け、前記赤外線信号を受信する受信手段を有する換気扇と連動した運転、停止を行うための換気連動装置を備えた調理器具であって、前記送信窓から送信された前記赤外線信号を、前記調理器具を操作する人体で上方に反射させることにより前記調理器具上部に配設された前記換気扇の前記受信手段が受信するようにして前記換気扇と赤外線通信を行うようにしたものがある（例えば、特許文献１参照）。
【先行技術文献】
【特許文献】
【０００３】
【特許文献１】特許第４０３２７５９号公報（第３頁、図１）
【発明の概要】
【発明が解決しようとする課題】
【０００４】
特許文献１の発明は、調理器具の送信窓から送信された換気装置制御用赤外線信号を、調理器具を使用する人体で上方に反射するようにしているため、使用者の着衣の材質や色及び使用者の操作する向き等によっては、上方に配設された換気装置の受信部に向って反射することができず、換気装置の制御が不可能に陥る場合があった。
【０００５】
本発明は、上記の課題を解決するためになされたもので、構造が簡単で、使用者に影響されることなく、上方に設置された換気装置に制御用の赤外線信号を確実に送信することのできる加熱調理器を提供することを目的としたものである。
【課題を解決するための手段】
【０００６】
本発明に係る加熱調理器は、本体部内に制御部を有する加熱調理器の前記本体部の前面側の内側に、前記制御部からの指令で赤外線信号を出力する赤外線信号送信部を設け、前記本体部の前面側の外側に、スカート部を有する意匠パネルを設け、前記スカート部は、トッププレートの前縁部よりも突出し、前記赤外線信号送信部と前記意匠パネルとの間に、赤外線信号が通る筒状体を設け、前記スカート部に、前記赤外線信号送信部から前記筒状体を介して送信された赤外線信号を前記本体部の上方に設けられる赤外線受光部に送信する赤外線投光部を設けたものである。
【発明の効果】
【０００７】
本発明によれば、構造が簡単で使用者に影響されることがなく、上方に設置された換気装置に制御用の赤外線信号を確実に送信することのできる信頼性の高い加熱調理器を得ることができる。
【図面の簡単な説明】
【０００８】
【図１】本発明の実施の形態１に係る加熱調理器と換気装置のキッチンへの設置状態を示す説明図である。
【図２】図１の加熱調理器の要部の断面説明図である。
【図３】図１の加熱調理器の制御系の概略構成を示すブロック図である。
【図４】本発明の実施の形態２に係る加熱調理器の要部の断面説明図である。
【図５】本発明の実施の形態３に係る加熱調理器の要部の断面説明図である。
【図６】本発明の実施の形態４に係る加熱調理器の要部の断面説明図である。
【図７】本発明の実施の形態５に係る加熱調理器の要部の断面説明図である。
【発明を実施するための形態】
【０００９】
［実施の形態１］
図１は本発明の実施の形態１に係る加熱調理器と換気装置のキッチンへの設置状態を示す説明図、図２は図１の加熱調理器の要部の断面説明図である。
図において、１０は流し台１に組み込まれた加熱調理器で、流し台１のワークトップ２に設けた開口部３から流し台１内に収納された上部が開口された箱状の本体部１１と、本体部１１の上部開口部に装着され、その外周がワークトップ２の開口部３の周縁に位置するトッププレート１２とからなっている。
【００１０】
そして、トッププレート１２上には、調理容器が載置される複数の載置部１３ａ〜１３ｃが設けられており、後部側には吸気口及び排気口が設けられて、ガードプレート１４でガードされている。なお、図示してないが、本体部１１内には、載置部１３ａ〜１３ｃと対向して、例えば誘導加熱コイルの如き加熱手段や、これら加熱手段を制御する制御部などが設けられている。
【００１１】
１５ａ，１５ｂ（以下、単に１５と記すことがある）は本体部１１の前面側に設けられて、加熱調理器１０の調理火力の調整やタイマ設定などを行うツマミ状の操作部である。なお、３５は操作部１５ａ，１５ｂの間に設けられたロースターの取っ手である。
【００１２】
１６ａ，１６ｂ（以下、単に１６と記すことがある）は本体部１１の前面側の両側に、操作部１５ａ，１５ｂに嵌合して装着された化粧パネルで、加熱調理器１０を流し台１に組み込む際に生じる流し台１との間のすき間の目隠しや、加熱調理器１の意匠向上を目的として設けたもので、下部の前面側には、ロースターの取っ手３５と連続するように、ほぼＬ字状のスカート部１７が設けられている。なお、この化粧パネル１５ａ，１５ｂは、加熱調理器１０を流し台１に組み込んだ後に取り付けられる。
【００１３】
加熱調理器１０の本体部１１の前面板の背面側の下部に設けた筒状の保持部１１ａ内には、赤外線ＬＥＤ等からなる赤外線信号送信部１８が設けられており、化粧パネル１６の背面側には、保持部１１ａと対向して筒状体１９が設けられている。この筒状体１９は、本体部１１の前面板の前面側に保持部１１ａに対応して設けてもよい。２０はアクリル等の樹脂材料からなるＬ字状の導光体で、スカート部１７内に配設され、入光部は筒状体１９に臨み、出光部は上方に向ってスカート部１７の上面板に設けた投光窓１７ａに臨んでおり、破線で囲む赤外線投光部２１を形成している。なお、以下の説明では、赤外線信号送信部１８から投光窓１７ａに至る赤外線信号が通過する経路を、投光経路と記すことがある。
【００１４】
１００は換気扇（図示せず）を有し、加熱調理器１０の上方に設置された換気装置で、赤外線受光部１０１が設けられている。
【００１５】
図３は本実施の形態に係る加熱調理器１０の制御系の概略構成を示すブロック図で、使用者による操作部１５の操作が電気信号に変換されて入力する制御部３０を有し、この制御部３０は、加熱手段である加熱コイル３１へ制御信号を送信すると共に、換気装置１００へ赤外線制御信号を送信するために、赤外線信号送信部１８へ制御信号を出力するようになっている。
【００１６】
次に、上記のように構成した本実施の形態の作用を説明する。
使用者が加熱調理器１０のトッププレート１２上に調理容器を載置して操作部１５を操作すると、制御部３０から加熱コイル３１に制御信号が送られ、調理容器を加熱して調理が行われる。
同時に、制御部３０から赤外線信号送信部１８へ制御信号が送られる。これにより、赤外線信号送信部１８から発信された赤外線信号は化粧パネル１６に設けた筒状体１９を通り、導光体２０に入射する。導光体２０に入射した赤外線信号は、赤外線投光部２１から上方に向って送信され、換気装置１００の赤外線受信部１０１で受信され、換気扇が駆動される。このようにして、加熱調理器１０と換気装置１００との間で赤外線通信が行われる。
【００１７】
調理が終了して加熱コイル３１への通電が停止すると、制御部３１は、赤外線信号送信部１８へ換気扇を停止させるための制御信号を出力し、赤外線信号送信部１８はこれに基いて赤外線信号を発信し、換気装置１００の赤外線受信部１０１はこの赤外線信号を受信して換気扇を停止させる。
【００１８】
上記の説明では、操作部１５を操作することにより、加熱コイル３１による加熱動作の開始と同時に、換気装置１００に換気扇を制御するための赤外線信号を送信する場合を示したが、換気扇を制御するため操作部を操作部１５と別に設けて、加熱コイル３１と換気装置１００をそれぞれ独立して制御しうるようにしてもよい。なお、この換気扇を制御する操作部を別に設けた場合は、調理の途中においても換気扇を作動させ、又は停止させることができる。
また、加熱調理器１０に、赤外線信号送信部１８や赤外線投光部２１を複数設けてもよく、これにより、換気装置１００との赤外線通信をより確実に行うことができる。
【００１９】
本実施の形態によれば、加熱調理器１０の前面側に設けた赤外線信号送信部１８から送信された換気扇制御用の赤外線信号を、化粧パネル１６に設けた導光体２０により加熱調理器１０の上方に向って送信するようにしたので、加熱調理器１０の上方に設置された換気装置１００に制御用の赤外線信号が確実に到達し、換気扇を駆動することができる。
【００２０】
また、赤外線信号送信部１８を加熱調理器１０の本体部１１の前面側に配置し、赤外線信号を上方に向って送信するように構成したので、加熱調理器１０のトッププレート１２に赤外線信号を設ける必要がない。このため、調理容器などのトッププレート１２上に載置される什器によって赤外線信号が遮断されることがなく、換気装置１００に確実に送信することができる。
また、加熱調理器１０のトッププレート１２に、赤外線信号送信部を設置するためのスペースを確保する必要がないので、トッププレート１２上を調理用領域として広く確保することができる。
【００２１】
さらに、本体部１１又は化粧パネル１６の赤外線信号送信部１８と対向する位置に筒状体１９を設け、赤外線信号がこの筒状体１９内を通るように構成したので、赤外線信号送信部１８からの赤外線信号が外部に漏れることなく導光体２０まで導光できるため、最小限の赤外線信号強度で送信が可能であり、このため、赤外線信号送信部１８の長寿命化や省電力化をはかることができる。
【００２２】
また、導光体２０を化粧パネル１６内に配置するようにしたので、加熱調理器１０を流し台１に組み込む際の突出部を最小限とすることができ、このため、組み込み時の作業性を向上することができる。
さらに、赤外線投光部２１をロースターの取っ手３５と連続するスカート部１７に設けたので、加熱調理器１０の意匠性を損うことがない。
【００２３】
［実施の形態２］
図４は本発明の実施の形態２に係る加熱調理器の要部の断面説明図である。なお、実施の形態１と同じ部分には、これと同じ符号を付してある。
本実施の形態においては、導光体２０の赤外線信号の入光部及び出光部以外の外周を、不透明の壁体２２で覆ったものである。
【００２４】
本実施の形態の作用は、実施の形態１の場合とほぼ同様であるが、赤外線信号送信部１８から送信され、筒状体１９を経て導光体２０に導かれ、赤外線投光部２１から送信される赤外線信号は、導光体２０の外周が壁体２２によって覆れているため、導光体２０から外部へ漏れる赤外線量をより少なくすることができる。
本実施の形態によれば、実施の形態１の効果に加えて、赤外線信号がさらに外部に漏れにくいので、より効果的に赤外線通信を行うことができる。
【００２５】
［実施の形態３］
図５は本発明の実施の形態３に係る加熱調理器の要部の断面説明図である。なお、実施の形態１と同じ部分には、これと同じ符号を付してある。
実施の形態１，２では、赤外線信号送信部１８から送信された赤外線信号を、導光体２０により上方に送信する場合を示したが、本実施の形態は、導光体２０を使用せず、スカート部１７に設けた反射部２３により反射させて赤外線信号を上方に導くようにしたものである。
【００２６】
本実施の形態は、スカート部１７の垂直片の内壁に、赤外線信号送信部１８と対向して、角度θ（角度θは、例えば４５°）で赤外線信号送信部１８から送信された赤外線信号を上方に反射させる反射部２３を設けたものである。
本実施の形態においては、赤外線信号送信部１８から送信された赤外線信号は直進して筒状体１９内を通り、反射部２３で反射して上方に向い、投光窓１７ａから換気装置１００へ送信され、赤外線信号受信部１０１で受信されて換気扇を駆動する。
【００２７】
本実施の形態の効果は、実施の形態１の場合とほぼ同様であるが、さらに、導光体２０に代えて反射板２３を設け、この反射部２３により赤外線信号を上方に導くようにしたので、構造が簡単でコストを低減することができ、また反射部２３をスカート部１７内に設けたので、加熱調理器１０の意匠性を損うこともない。
【００２８】
［実施の形態４］
図６は本発明の実施の形態４に係る加熱調理器の要部の断面説明図である。なお、実施の形態１と同じ部分には、これと同じ符号が付してある。
実施の形態３では、化粧パネル１６のスカート部１７に、赤外線信号送信部１８からの赤外線信号を反射させる反射部２３を設けた場合を示したが、本実施の形態においては、反射部２３に代えて赤外線信号を反射させる反射筒体２４を設けたものである。
【００２９】
本実施の形態は、化粧パネル１６に設けた筒状体１９とスカート部１７の投光窓１７ａとの間に、ほぼＬ字状に形成されて角部に反射面２５を有する反射筒体２４を設けたものである。
本実施の形態においては、赤外線信号送信部１８から送信された赤外線信号は直進して筒状体１９内を通り、反射筒体２４内に入射して反射面２５で反射して上方に向い、投光窓１７ａから換気装置１００へ送信され、赤外線信号受信部１０１で受信されて換気扇を駆動する。
【００３０】
本実施の形態によれば、実施の形態１〜３とほぼ同様の効果が得られるが、さらに、赤外線信号送信部１８から投光窓１７ａまでの投光経路で赤外線信号が外部に漏れることがないので、より一層赤外線信号を効率よく送信することができる。
【００３１】
［実施の形態５］
図７は本発明の実施の形態５に係る加熱調理器の要部の断面説明図である。なお、実施の形態１及び４と同じ部分には、これと同じ符号を付してある。
実施の形態１〜４では、化粧パネル１６のスカート部１７及び赤外線信号送信部１８から赤外線投光部２１に至る投光経路を操作部１５の下方に設けた場合を示したが、本実施の形態は、操作部１５を化粧パネル１６の下方に設け、スカート部１７及び前記の投光経路を操作部１５の上方に設けたものである。
【００３２】
本実施の形態においては、赤外線信号送信部１８を本体部１１の操作部１５より上方に設け、本体部１１の前面側に装着する化粧パネル１６の背面側に、赤外線信号送信部１８に対向して筒状部１９を設け、その前面側、したがって操作部１５より上方に設けたスカート部１７の投光窓１７ａと、筒状部１９との間に反射筒体２４を配置したものである。なお、投光窓１７ａを含む赤外線投光部２１は、加熱調理器１０が組み込まれた流し台１のワークトップ２の前縁部より前方に突出している。
【００３３】
本実施の形態における赤外線信号送信部１８からの赤外線信号を、筒状部１９を経て反射筒体２４で反射させ、赤外線投光部２１から送出して換気装置１００の換気扇を駆動させる作用は、実施の形態１の場合と同様である。
【００３４】
本実施の形態においても実施の形態４の場合とほぼ同様の効果を得ることができるが、さらに、赤外線投光部２１を操作部１５より上方に設けたので、操作部１５を操作する使用者の手が赤外線投光部２１の下方に位置するため、操作部１５を操作する際に使用者の手や衣類などが投光窓１７ａを塞ぐのを防止することができ、これにより、加熱調理器１０と換気装置１００との赤外線通信をより確実に行うことができる。
【００３５】
また、化粧パネル１６のスカート部１７に設けた赤外線投光部２１を、流し台１のワークトップ２の前縁部より前方に突出させたので赤外線投光部２１から換気装置１００までの赤外線送信経路が、障害物などにより遮断されることがなく、加熱調理器１０と換気装置１００との赤外線通信をより安定して行うことができる。
【００３６】
上記の説明では、赤外線の投光経路に実施の形態４に係る反射筒体２４を配置した場合を示したが、これに限定するものではなく、実施の形態１，２に係る導光体２０、又は実施の形態３に係る反射部２３を設けた投光経路を有する加熱調理器１０においても、本実施の形態を実施することができる。
【００３７】
上記の説明では、図示の加熱調理器に本発明を実施した場合を示したが、これに限定するものではなく、家庭用及び業務用に使用される換気扇の制御機能を有する他の構造の加熱調理器、さらに熱源がガスである加熱調理器にも本発明を実施することができる。
【符号の説明】
【００３８】
１  流し台、２  ワークトップ、１０  加熱調理器、１１  本体部、１２  トッププレート、１５ａ，１５ｂ  操作部、１６ａ，１６ｂ  意匠パネル、１７  スカート部、１７ａ  投光窓、１８  赤外線信号送信部、１９  筒状体、２０  導光体、２１  赤外線投光部、２２  壁体、２３  反射部、２４  反射筒体、２５  反射面、３０  制御部、３１  加熱コイル、３５  ロースターの取っ手、１００  換気装置、１０１  赤外線受光部。
【図１】
0005279776.tif 000002
【図２】
0005279776.tif 000003
【図３】
0005279776.tif 000004
【図４】
0005279776.tif 000005
【図５】
0005279776.tif 000006
【図６】
0005279776.tif 000007
【図７】
0005279776.tif 000008